(57)【特許請求の範囲】
【請求項１】
カーテンウォールユニットを縦横に連結して配列したカーテンウォールであって、
隣り合う一方のカーテンウォールユニットの上枠端部に配設されている第一端部シール材と、
前記第一端部シール材に配設されていて隣り合う他方の前記カーテンウォールユニットに向けて突出する突起部と、
前記突起部を支持する第一フィン及び第二フィンと、
前記隣り合う他方のカーテンウォールユニットの上枠端部に配設されていて前記第一端部シール材に密着させられた第二端部シール材とを備え、
前記第一端部シール材と前記第二端部シール材を互いに密着させた状態で、前記第二端部シール材は前記突起部に当接されていることを特徴とするカーテンウォール。
【請求項２】
前記突起部は、前記第一フィンに支持される突起および前記第二フィンに支持される突起からなる一対の突起部として構成され、
前記第二端部シール材は前記一対の突起部の間に位置していて下方に垂下する垂下部を有している請求項１に記載されたカーテンウォール。
【請求項３】
前記第一フィン及び第二フィンの上端部は前記上枠近傍まで延びていて前記第一フィン及び第二フィンの上端部に前記突起部がそれぞれ連結されている請求項１または２に記載されたカーテンウォール。
【請求項４】
前記突起部は、前記第一フィンに支持される突起および前記第二フィンに支持される突起からなる一対の突起部として構成され、
前記第一端部シール材の前記一対の突起部はそれぞれ外側に傾斜して突出している請求項１から３のいずれか１項に記載されたカーテンウォール。
【請求項５】
上枠及び下枠と左右の縦枠を備えたカーテンウォールユニットの上枠の一方の端部に配設される第一端部シール材及び前記上枠の他方の端部に配設される第二端部シール材と、
前記第一端部シール材に設けられていて、前記縦枠から突出する第一フィンの上に配置される第一突起部及び前記縦枠から突出する第二フィンの上に配置される第二突起部と、
を備えたことを特徴とするカーテンウォールユニット用キャッチパン。
【発明の詳細な説明】
【技術分野】
【０００１】
本発明は、上下左右に隣り合うカーテンウォールユニット同士を液密に連結したカーテンウォールに関するものであり、特に隣り合うカーテンウォールユニット同士の上枠端部に設置された第一端部シール材及び第二端部シール材が液密に密着したカーテンウォール及びカーテンウォールユニット用キャッチパンに関する。
【背景技術】
【０００２】
従来、カーテンウォールの施工方法としてインターロッキング方式が知られている。インターロッキング方式とはカーテンウォールユニットを上下左右に配置して、上下枠同士と左右の縦枠同士の凹部と凸部を相互に嵌合させて建物壁面を構築する施工方法である。
例えば特許文献１に記載されたカーテンウォールは、上下に隣接するカーテンウォールユニット同士の嵌合部に沿って横方向に予め第一弾性シール材を配置し、左右に隣接するカーテンウォールユニット同士の嵌合部に沿って縦方向に予め第二弾性シール材を配置して互いに嵌合させる。しかも、上下左右のカーテンウォールユニット同士の交差部で、第一弾性シール材の端部同士を端部弾性シール材で連結し、第二弾性シール材同士の端部を上下の隙間塞ぎピースを介して端部弾性シール材に連結する。これによって、組み立てたカーテンウォールの交差部水密構造を実現している。
【０００３】
また、特許文献１に記載されたカーテンウォールでは、上述した嵌合構造のカーテンウォールにおいて、図１０に示すように、左右のカーテンウォールユニット１００Ａ、１００Ｂの上枠１０１、１０２の端部角部の連結部において、第一端部弾性シール材１０３、第二端部弾性シール材１０４の合わせ面１０３ａ、１０４ａを突き合わせて密着している。
これらの合わせ面１０３ａ、１０４ａに下側に開口するスリット状の空洞部１０５、１０６を設けて、第一及び第二端部弾性シール材１０３，１０４同士の合わせ面１０３ａ，１０４ａに浸入する雨水を空洞部１０５，１０６に沿って下方に落下させ、外部に排出するようにしている。これによって、互いに密着する合わせ面１０３ａ、１０４ａから毛細管現象で雨水が屋外側から漏水して屋内側に漏れ出ることを防いでいる。
【０００４】
また、特許文献１のカーテンウォールでは、左右のカーテンウォールユニット１００Ａ、１００Ｂの第一端部弾性シール材１０３、第二端部弾性シール材１０４の下側に互いに対向する縦枠１０７，１０８にそれぞれ各一対のフィン１０７ａ、１０８ａが突出して形成されている。そして、第一及び第二端部弾性シール材１０３，１０４の当接密着時に各一対のフィン１０７ａ、１０８ａが互いに突き合わされて嵌合している。
【先行技術文献】
【特許文献】
【０００５】
【特許文献１】特許第４４３４９２９号公報
【発明の概要】
【発明が解決しようとする課題】
【０００６】
しかしながら、特許文献１に記載されたカーテンウォールでは、地震等の際にカーテンウォールユニット１００Ａ，１００Ｂ同士が振動でロッキングするため、第一端部弾性シール材１０３と第二端部弾性シール材１０４とが上下左右にロッキングすると共にアルミ合金製の各一対のフィン１０７ａ、１０８ａが互いに上下左右にロッキングしてしまう。ロッキングする際、フィン１０７ａが上枠１０２の下方に潜り込んでいるためロッキング時にフィン１０７ａの上端と上枠１０２の下面が干渉して動きを規制し左右の揺れ方が不規則になったりすることがあった。
【０００７】
本発明は、このような課題に鑑みてなされたものであって、地震等の際にカーテンウォールユニットが互いにロッキングしたとしても部材同士が干渉せず、ロッキング量が同程度になって損傷等しないようにしたカーテンウォール及びカーテンウォールユニット用キャッチパンを提供することを目的とする。
【課題を解決するための手段】
【０００８】
本発明によるカーテンウォールは、カーテンウォールユニットを縦横に連結して配列したカーテンウォールであって、隣り合う一方のカーテンウォールユニットの上枠端部に配設されている第一端部シール材と、第一端部シール材に配設されていて隣り合う他方のカーテンウォールユニットに向けて突出する突起部と、突起部を支持する第一フィン及び第二フィンと、隣り合う他方のカーテンウォールユニットの上枠端部に配設されていて第一端部シール材に密着させられた第二端部シール材とを備え、第一端部シール材と第二端部シール材を互いに密着させた状態で、第二端部シール材は突起部に当接していることを特徴とする。
本発明によれば、地震等の際に各カーテンウォールユニット同士が振動すると、第一端部シール材及び突起部が第二端部シール材と共にロッキングし、その際、突起部を支持する第一及び第二フィンは突起部の下方でロッキングするため、突起部で当接される第二端部シール材や上枠と第一及び第二フィンとが互いに干渉することなくロッキングし、ロッキング量とロッキング方向が同程度になるよう作動するため、損傷等を生じない。
【０００９】
また、前記突起部は、前記第一フィンに支持される突起および前記第二フィンに支持される突起からなる一対の突起部として構成され、前記第二端部シール材は前記一対の突起部の間に位置していて下方に垂下する垂下部を有していることが好ましい。
第一端部シール材と第二端部シール材の密着面に雨水等の水が屋外側から滲み込んでも屋内側に漏れ出る前に、一対の突起部の間に位置する垂下部でガイドされて下方に誘導され、屋内側に漏れ出ることを防止できる。
【００１０】
また、前記第一フィン及び第二フィンの上端部は前記上枠近傍まで延びていて前記第一フィン及び第二フィンの上端部に前記突起部がそれぞれ連結されていてもよい。
第一端部シール材に設けた突起部の下に上端部を切除した第一フィン及び第二フィンを設けて支持するため、突起部は第二端部シール材と第一フィン及び第二フィンとの間に配設され、ロッキングの際に第二端部シール材や上枠と第一及び第二フィンとが互いに干渉することなくロッキングする。
【００１１】
また、前記突起部は、前記第一フィンに支持される突起および前記第二フィンに支持される突起からなる一対の突起部として構成され、前記第一端部シール材の前記一対の突起部はそれぞれ外側に傾斜して突出していてもよい。
外側に傾斜する一対の突起部を第一端部シール材の第一フィン及び第二フィンに位置決め支持させることで正しい姿勢で精度良く保持できる。
【００１２】
本発明によるカーテンウォールユニット用キャッチパンは、上枠及び下枠と左右の縦枠を備えたカーテンウォールユニットの上枠の一方の端部に配設される第一端部シール材及び前記上枠の他方の端部に配設される第二端部シール材と、前記第一端部シール材に設けられていて、前記縦枠から突出する第一フィンの上に配置される第一突起部及び前記縦枠から突出する第二フィンの上に配置される第二突起部と、を備えたことを特徴とする。
本発明によれば、一方のカーテンウォールユニットの上枠端部に設けた第一端部シール材の第一突起部及び第二突起部に、他方のカーテンウォールユニットの第二端部シール材を密着させることで、第一及び第二端部シール材を液密に密着させることができ、ロッキング時にロッキング量とロッキング方向が同程度になるよう作動する。
【発明の効果】
【００１３】
本発明によるカーテンウォール及びカーテンウォールユニット用キャッチパンによれば、第一端部シール材と第二端部シール材とが密着して第一端部シール材の突起部が第二端部シール材と嵌合しているため、地震等の際に第一端部シール材と第二端部シール材とが互いに追従してロッキングすることが可能であり、カーテンウォールユニット同士が干渉したり変形したりしない。
【図面の簡単な説明】
【００１４】
【図１】本発明の実施形態によるカーテンウォールを示すものであり、（ａ）は屋外側から見た正面図、（ｂ）は縦断面図、（ｃ）はＡ−Ａ線断面図である。
【図２】図１に示すカーテンウォールの単一のカーテンウォールユニットを示すもので、（ａ）は正面図、（ｂ）は側面図である。
【図３】図１に示す交差部Ｐにおける左右のカーテンウォールユニットの嵌合構造を示す要部分解斜視図である。
【図４】左右のカーテンウォールユニットの連結部を示す図１のＢ−Ｂ線断面図である。
【図５】上下のカーテンウォールユニットの連結部を示す図１のＣ−Ｃ線断面図である。
【図６】第一端部シール材を示すものであり、（ａ）は密着面の斜視図、（ｂ）は裏面の斜視図、（ｃ）は平面図である。
【図７】第二端部シール材を示すものであり、（ａ）は密着面の斜視図、（ｂ）は裏面の斜視図、（ｃ）は平面図である。
【図８】第一端部シール材と第二端部シール材の密着嵌合構造を示す図である。
【図９】図８のＤ−Ｄ線断面図である。
【図１０】従来例における左右のカーテンウォールユニットの嵌合構造を示す要部分解斜視図である。
【発明を実施するための形態】
【００１５】
以下、本発明の実施形態によるカーテンウォールについて図１乃至図９に基づいて説明する。
図１（ａ）、（ｂ）、（ｃ）に示す実施形態によるカーテンウォール１は、カーテンウォールユニット(以下、単にユニットということがある)２を上下左右に配設して互いに連結して構成されたものであり、例えば屋外側から見た外観図である。各ユニット２は建物躯体の床Ｆの端部に設けられた接合部３によってビルの壁面を形成している。
図２に示すカーテンウォールユニット２は例えばアルミ合金等の金属部材からなり、上枠４、下枠５、左右の縦枠６，７からなる枠体８の内部の中間に無目９が設けられ、左右の縦枠６，７に連結されている。枠体８内において例えば無目９の上側の枠内には、例えば、単層のガラスパネルＧ１が収納され、無目９の下側の枠内には複層のガラスパネルＧ２が収納されている。
【００１６】
図１（ａ）に示すカーテンウォール１における交差部Ｐは上下左右の４枚のユニット２が交差する各角部部分の連結部を示すものであり、上述した従来技術に示す交差部と同様の構成である。図１（ａ）に示す交差部Ｐにおいて、左右に隣接する２つのユニット２を便宜的にユニット２Ａ，２Ｂとし、これらに連結されるその上部の２つのユニット２をユニット２Ｃ、ユニット２Ｄとして、以下の説明を行う。
図３に示す交差部Ｐにおける下側の左右のユニット２Ａ，２Ｂについて、一方のユニット２Ａは上枠４と一方の縦枠６を連結した上部角部を示すものであり、上部角部における上枠４の一端部には第一端部シール材１２がネジによって連結されている。縦枠６の屋外側端部にはガラスパネルＧ１の端部を保持するための断面略コの字状の嵌合溝６ａが形成されている。
【００１７】
また、他方のユニット２Ｂは上枠４と他方の縦枠７を連結した上部角部を示すものであり、上部角部における上枠４の他端部には第二端部シール材１３がネジによって連結されている。縦枠７の屋外側端部にはガラスパネルＧ１の端部を保持するための断面略コの字状の嵌合溝７ａが形成されている。しかも縦枠７はユニット２Ａの縦枠６と対向している。
後述するように、第一端部シール材１２の下側で縦枠６から上下方向に延びる第一凸側縦壁１５及び第二凸側縦壁１６が第一フィン及び第二フィンとして略平行に突出している。また、第二端部シール材１３の下側でも縦枠７から上下方向に延びる第一凹側縦壁１８と第二凹側縦壁１９が略平行に突出している(図４参照)。なお、第一端部シール材１２と第二端部シール材１３については後述する。
【００１８】
図４は左右方向に連結された２つのユニット２Ａ，２Ｂを示すものであり、例えば図１のＢ−Ｂ線断面図である。一方のユニット２Ａの縦枠６において、屋外側端部にガラスパネルＧ２の左右方向の一端部を納める嵌合溝６ａが形成され、嵌合溝６ａの屋内側と屋外側に設けた気密材でガラスパネルＧ２を保持している。なお、他方の縦枠７と無目９及び下枠５にも同様な嵌合溝がそれぞれ形成され、例えば屋内側のシール材と屋外側のシール材等の気密材によってガラスパネルＧ２の各端部を保持している。
また、他方のユニット２Ｂの縦枠７において、屋外側端部にガラスパネルＧ２の左右方向の他端部を納める嵌合溝７ａが形成され、嵌合溝７ａの屋内側と屋外側に設けた気密材でガラスパネルＧ２を保持している。なお、一方の縦枠６と無目９及び下枠５にも同様な嵌合溝がそれぞれ形成され、屋内側と屋外側に設けた気密材によってガラスパネルＧ２の各端部を保持している。対向する縦枠６の嵌合溝６ａと縦枠７の嵌合溝７ａとの間に凹部形状の空隙が形成されている。
【００１９】
そして、ユニット２Ａにおける一方の縦枠６の屋内側には他方のユニット２Ｂ方向に延びていて屈曲部を有する第一凸側縦壁１５と第二凸側縦壁１６と第三凸側縦壁１７とが所定間隔で略平行に形成されている。第一凸側縦壁１５と第二凸側縦壁１６は第一フィンと第二フィンをそれぞれ構成する。
また、ユニット２Ｂの他方の縦枠７には対向する位置に一方のユニット２Ａ方向に延びる第一凹側縦壁１８と第二凹側縦壁１９と第三凹側縦壁２０とが所定間隔で略平行に形成されている。しかも、第一凸側縦壁１５に設けた第一弾性シール材１５ａを介して第一凹側縦壁１８と係合し、第二凸側縦壁１６に設けた第二弾性シール材１６ａを介して第二凹側縦壁１９と係合し、第三凸側縦壁１７に設けた差し込み係合片１７ａを介して第三凹側縦壁２０の受け溝２０ａに係合している。これら第一、第二、第三凸側縦壁１５，１６，１７と第一、第二、第三凹側縦壁１８，１９，２０とによって、ユニット２Ａの一方の縦枠６の嵌合凸部６Ａとユニット２Ｂの他方の縦枠７の嵌合凹部７Ａとを互いに嵌合させるインターロック型の嵌合構造が形成されている。
【００２０】
次に図５は上下方向のユニット２Ａ，２Ｃの連結構造を示すものである。図５における上側のユニット２Ｃにおいて、その下枠５の屋外側端部にはガラスパネルＧ２の下端部を納める嵌合溝５ａが形成され、嵌合溝５ａの屋内側と屋外側に設けた気密材でガラスパネルＧ２を保持している。なお、無目９の屋外側と左右の縦枠６，７にも同様な嵌合溝がそれぞれ形成され、屋内側と屋外側に設けた気密材によってガラスパネルＧ２の端部を保持している。
下枠５における嵌合溝５ａの屋内側には断面略逆Ｕ字状をなす凹型連結部２３と連結壁部２４とが所定の間隔を開けて連続して形成されている。
【００２１】
また、下側のユニット２Ａの上枠４において、上枠４の屋外側端部にはガラスパネルＧ１の上端部を納める嵌合溝４ａが形成され、嵌合溝４ａの屋内側と屋外側に設けた気密材でガラスパネルＧ１を保持している。なお、無目９の屋外側と左右の縦枠６，７にも同様な嵌合溝がそれぞれ形成され、屋内側と屋外側に設けた気密材によってガラスパネルＧ１の端部を保持している。
ユニットの２Ｃの下枠５における嵌合溝５ａとユニット２Ａの上枠４における嵌合溝４ａとの間には所定の間隙が形成されており、ユニット２Ｃにおける下枠５の嵌合溝５ａの下面にはユニット２Ａの上枠４の嵌合溝４ａに先端部が当接するスプラッシュバリア２２が保持されて、上記の間隙を封止している。
【００２２】
ユニット２Ａの上枠４における嵌合溝４ａの屋内側には上方に延びていてユニット２Ｃの下枠５における凹型連結部２３内に嵌合する第一凸型連結部２６と連結壁部２４に当接する第二凸型連結部２７とがそれぞれ形成されている。第一凸型連結部２６の先端部には上枠第一シール部材２６ａが保持され、上枠第一シール部材２６ａで凹型連結部２３の一方の内壁を押圧することで第一凸型連結部２６の他方の壁面が凹型連結部２３の他方の内壁に圧接されて嵌合状態になる。また、第二凸型連結部２７の先端部には連結壁部２４に押圧する上枠第二シール部材２７ａが保持されている。
これら凹型連結部２３及び連結壁部２４と第一凸型連結部２６及び第二凸型連結部２７とによって、上側のユニット２Ｃの下枠５と下側のユニット２Ａの上枠４とを互いに嵌合させるインターロック型の嵌合構造が形成されている。
【００２３】
次に図３に示す左右方向のユニット２Ａ、２Ｂに示す第一端部シール材１２と第二端部シール材１３との連結構造について説明する。第一端部シール材１２と第二端部シール材１３はキャッチパンであり、例えば発泡シリコーン、発泡樹脂や合成ゴム等の弾性材料により形成されている固定シール部材である。これらの素材のうち圧縮された際に永久歪みが残留し難い発泡シリコーンであることが好ましい。
図６（ａ）、（ｂ）、（ｃ）に示すユニット２Ａの第一端部シール材１２は、所定の厚みを有していて略Ｕ字状に形成された板状のシール材本体１２ａとその下部からシール材本体１２ａに略直交して水平方向に突出する第一突起部１２ｂと第二突起部１２ｃとを備えている。シール材本体１２ａは上部に延びる第一耳部２９ａと第二耳部２９ｂとを有しており、シール材本体１２ａの内部には補強用の金属板材３０が収納されている。
シール材本体１２ａの第一及び第二突起部１２ｂ、１２ｃ側の面が第二端部シール材１３との密着面１２ａａを形成しており、第一耳部２９ａの部分には若干の傾斜面からなる段差が形成されている。
【００２４】
これら第一耳部２９ａと第二耳部２９ｂは、図５に示すように、上枠４に形成した第一凸型連結部２６と第二凸型連結部２７の延長状に形成されていて、ユニット２Ｃの下枠５の凹型連結部２３と連結壁部２４に外側で当接するものである。第一端部シール材１２にはネジ穴１２ｄが形成されており、このネジ穴１２ｄと金属板材３０を通してネジで上枠４内に取り付けられたガーターピース３１に固定される。
しかも、図６（ｃ）に示すように、第一突起部１２ｂと第二突起部１２ｃは所定間隔を開けて形成され、部品の状態で外側に傾斜して突出形成されている。
第一突起部１２ｂと第二突起部１２ｃはそれぞれ下面と外側面に亘って断面略Ｌ字状に切り欠いた第一係合受け部１２ｂａと第二係合受け部１２ｃａが形成されている。第一係合受け部１２ｂａには縦枠６の第一凸側縦壁１５（第一フィン）の上端部が係合し、第二係合受け部１２ｃａには第二凸側縦壁１６（第二フィン）の上端部が係合し、その状態で、第一突起部１２ｂと第二突起部１２ｃは外側に傾斜した姿勢から略平行な姿勢に強制的に矯正される。
【００２５】
また、図３に示すように、縦枠６における第一端部シール材１２の下部には第一凸側縦壁１５と凸側縦壁１６とが所定間隔で上下方向に延びている。この第一凸側縦壁１５と第二凸側縦壁１６は、従来のカーテンウォールユニットでは上枠４まで延びていたが、本実施形態では上端部が一部切り欠かれた欠損部として上枠４よりも下側に位置している。そして、これら第一凸側縦壁１５と第二凸側縦壁１６の上端部に第一端部シール材１２の第一突起部１２ｂと第二突起部１２ｃが装着されている。
【００２６】
また、図７（ａ）、（ｂ）、（ｃ）に示すユニット２Ｂの第二端部シール材１３は、所定の厚みを有していて略Ｕ字状に形成された板状のシール材本体１３ａとその板厚方向に突出する突出片１３ｆとを有している。シール材本体１３ａは上部に延びる第一耳部３５ａと第二耳部３５ｂとを有しており、シール材本体１３ａの内部に補強用の金属板材３６が収納されている。シール材本体１３ａの一方の面が第一端部シール材１２の密着面１２ａａとの密着面１３ａａを形成していて、第一耳部３５ａの部分には若干の傾斜面からなる段差が形成されている。密着面１２ａａと密着面１３ａａ同士は互いに逆向きの段差の傾斜面を有しているため、第一耳部２９ａと第一耳部３５ａが傾斜面の段差を介して互いに面接触で密着されている。
【００２７】
これら第一耳部３５ａと第二耳部３５ｂは、図３に示すように、上枠４に形成した第一凸型連結部２６と第二凸型連結部２７の延長状に形成されていて、ユニット２Ｃの下枠５の凹型連結部２３と連結壁部２４にその外側で当接するものである。第二端部シール材１３にはネジ穴１３ｄが形成されており、このネジ穴１３ｄと金属板材３６を通してネジで上枠４内のガーターピース３１に固定される。
【００２８】
また、シール材本体１３ａの下部には第一端部シール材１２の第一突起部１２ｂの上面を嵌合させる第一嵌合凹部１３ｂと第二突起部１２ｃの上面を嵌合させる第二嵌合凹部１３ｃとが形成されている。しかも第一嵌合凹部１３ｂと第二嵌合凹部１３ｃの間には下方に延びる垂下部１３ｅが形成されている。
これにより、図８、図９に示すように、第一端部シール材１２と第二端部シール材１３のシール材本体１２ａ、１３ａの密着面１２ａａ、１３ａａ同士を圧接して密着させた状態で、この密着面１２ａａ、１３ａａの密着性の小さい部分から内部に浸み込む雨水等の水を室外側に傾斜する面を有する垂下部１３ｅを通して下方に誘導し、屋内側に浸み込むことを防ぐことができる。
図８、図９に示すように、ユニット２Ａ，２Ｂを嵌合させ、第一端部シール材１２と第二端部シール材１３のシール材本体１２ａ、１３ａの密着面１２ａａ、１３ａａ同士を圧接して密着させた状態で、第一及び第二突起部１２ｂ、１２ｃ上に第二端部シール材１３の第一嵌合凹部１３ｂと第二嵌合凹部１３ｃがそれぞれ嵌合している。
【００２９】
この状態で、図４に示すように、第一突起部１２ｂを支える第一凸側縦壁１５と第二突起部１２ｃを支える第二凸側縦壁１６は第一凹側縦壁１８と第二凹側縦壁１９にそれぞれ係合することになる。
なお、本実施形態によるカーテンウォール１においても、上述した従来技術のカーテンウォールと同様に、第一端部シール材１２及び第二端部シール材１３に連結されて屋内外を液密にシールするカーテンウォール１の上下方向に形成された弾性シール材と左右方向または横方向に形成された弾性シール材とを備えている。これによって、カーテンウォールユニット２同士を液密にシールしている。これらの各弾性シール材の構成については上述した従来技術と同様であるため説明を省略する。
【００３０】
本実施形態によるカーテンウォール１は上述した構成を有しており、次にその作用について説明する。
先ず、カーテンウォール１の組み立て方法について説明する。カーテンウォール１の組み立てに際して、図３及び図４を中心に交差部Ｐにおける左右方向のユニット２Ａとユニット２Ｂの嵌合方法を説明する。交差部Ｐにおけるユニット２Ａの上枠４と縦枠６が交差する上端角部において、上枠４の延長状の端部に第一端部シール材１２を取り付け、第一及び第二突起部１２ｂ、１２ｃを縦枠６から突出していて上部に欠損部を形成した第一凸側縦壁１５と第二凸側縦壁１６の上端部に装着させて嵌合する。そして、第一端部シール材１２をガーターピース３１の端部にねじ止めする。同様に交差部Ｐにおけるユニット２Ｂの上枠４と縦枠７が交差する上端角部において、上枠４の延長状の端部に第二端部シール材１３を取り付ける。
【００３１】
この状態で、ユニット２Ａの第一端部シール材１２及び縦枠６とユニット２Ｂの第二端部シール材１３と縦枠７とを連結する。
連結に際し、図３及び図８に示すように、第二端部シール材１３を第一端部シール材１２の第一突起部１２ｂ及び第二突起部１２ｃの上部に載置させる。これにより、第二端部シール材１３の下部に形成した第一嵌合凹部１３ｂが第一突起部１２ｂの上面に嵌合し、第二嵌合凹部１３ｃが第二突起部１２ｃの上面に嵌合して互いに位置決めされる。
【００３２】
また、図４及び図９に示すように、ユニット２Ａにおける縦枠６の第一突起部１２ｂ及び第二突起部１２ｃは、ユニット２Ｂにおける縦枠７の第一凹側縦壁１８と第二凹側縦壁１９の間に位置する。
しかも、図４に示すように、縦枠６の屋内側に設けた第一、第二、第三凸側縦壁１５，１６，１７を有する嵌合凸部６Ａと、これに対向する縦枠７の屋内側に設けた第一、第二、第三凹側縦壁１８，１９，２０を有する嵌合凹部７Ａとが互いにそれぞれ嵌合することで、ユニット２Ａの縦枠６とユニット２Ｂの縦枠７とを互いに連結させる。
【００３３】
そして、図５に示すように、下側のユニット２Ａに示す上枠４の嵌合溝４ａの屋内側に設けた第一凸型連結部２６と、ユニット２Ｃの下枠５に形成した凹型連結部２３とを嵌合させる。第一凸型連結部２６と凹型連結部２３は嵌合状態で上枠第一シール部材２６ａによって互いに液密に嵌合固定される。
また、上枠４の第二凸型連結部２７が上枠第二シール部材２７ａで下枠５の連結壁部２４に押圧される。更に下枠５の屋外側に設けたスプラッシュバリア２２によって上枠４と下枠５との間の間隙を封止して外部から雨水等が流入することを抑制できる。
また、交差部Ｐにおける下側のユニット２Ｂと上側のユニット２Ｄについても同様に嵌合して連結される。このようにして多数のカーテンウォールユニット２を順次上下左右に連結することで、各ユニット２は建物躯体の各層の床Ｆの端部に設けられた接合部３によってビルの壁面に吊り下げられて連結されている。
【００３４】
次に本実施形態によるカーテンウォール１の作用について説明する。
上下左右のユニット２同士を連結固定した状態で、例えばユニット２Ａ、２Ｂを図８に示すように第一端部シール材１２と第二端部シール材１３とを密着面１２ａａ、１３ａａ同士で面接触している。この場合でも密着面１２ａａ、１３ａａの屋外側のわずかな隙間から雨水等の水が滲み込むことがある。特に、第一及び第二端部シール材１２、１３において第一耳部２９ａ、３５ａと第二耳部２９ｂ、３５ｂの間が凹嵌部の底部となっていて雨水等が載り易く溜まり易い傾向があり、その密着面１２ａａ、１３ａａの間に水が滲み込み易い。
【００３５】
そして、密着面１２ａａ、１３ａａの屋外側のわずかな隙間から滲み込む水は密着面１２ａａ、１３ａａの間を流れて屋内側に滲み込むが、第一端部シール材１２の第一突起部１２ｂと第二突起部１２ｃの間で第二端部シール材１３に設けられた垂下部１３ｅにガイドされて下方に落ち込む。
これによって、滲み込む水が屋内側に流れ込むことを防止して下方に落下させられ、隙間から外部に戻される。
【００３６】
なお、従来技術のカーテンウォールでは、第一端部シール材１２と第二端部シール材１３の密着面１２ａａ、１３ａａに滲み込む雨水等の水は第一端部シール材１２と第二端部シール材１３に形成されたスリット状の空洞部にガイドされて下方に落下するようにしていた。しかし、この場合には、第一端部シール材１２と第二端部シール材１３はスリットを形成しつつ強度を確保するために例えば２０数ミリ程度の厚みを必要としていたが、本実施形態では、滲み込む水の降下をガイドするスリットを形成しないために、第一端部シール材１２と第二端部シール材１３は例えばその１／２程度の厚みに削減できて小型化できる。
【００３７】
また、左右のユニット２の結合に際して、ユニット２Ａの第一端部シール材１２とユニット２Ｂの第二端部シール材１３を密着させて第一突起部１２ｂ及び第二突起部１２ｃを第二端部シール材１３の下部に嵌合させた。そして、第一突起部１２ｂ及び第二突起部１２ｃを第一凸側縦壁１５及び第二凸側縦壁１６で支持させた。
【００３８】
そのため、地震等の際に、上下左右に隣り合う４つのカーテンウォールユニット２同士が交差部Ｐで互いにロッキングすると、第一端部シール材１２と第二端部シール材１３とが互いにロッキングする。そして、第一端部シール材１２は第一凹側縦壁１８及び第二凹側縦壁１９の間隙内に第一突起部１２ｂ及び第二突起部１２ｃが位置する状態でロッキングする。
【００３９】
しかも、第一凸側縦壁１５及び第二凸側縦壁１６は第一弾性シール材１５ａ及び第二弾性シール材１６ａを介して縦枠７の第一凹側縦壁１８及び第二凹側縦壁１９と当接状態であり、ロッキング時に第一凸側縦壁１５及び第二凸側縦壁１６と第一凹側縦壁１８及び第二凹側縦壁１９とが互いに接触して擦過したり損傷させたりすることがない。しかも、第一凸側縦壁１５及び第二凸側縦壁１６の上端と上枠４の下面との間に第一突起部１２ｂと第二突起部１２ｃが介在するため互いに干渉することがなく、動きを規制したり左右の揺れ方が不規則になったりすることがない。
また、第一凸側縦壁１５及び第二凸側縦壁１６及び縦枠６と第一凹側縦壁１８及び第二凹側縦壁１９及び縦枠７とが互いに同量ずつロッキングし、互いの擦過や変形等を防止できると共に地震終了時に元の位置に戻る。
【００４０】
上述のように本実施形態によるカーテンウォール１によれば、ユニット２Ａの第一端部シール材１２に設けた第一突起部１２ｂ及び第二突起部１２ｃを第一凸側縦壁１５、第二凸側縦壁１６で支持すると共にユニット２Ｂの上枠４の下側に配設させて、第二端部シール材１３の第一凹側縦壁１８及び第二凹側縦壁１９間で保持するため、第一凸側縦壁１５及び第二凸側縦壁１６を第一凹側縦壁１８及び第二凹側縦壁１９と非接触に保持できる。
しかも、縦枠６の第一端部シール材１２に第一及び第二突起部１２ｂ，１２ｃを設けたためにこれを支持する第一凸側縦壁１５及び第二凸側縦壁１６の高さが低く、上枠４に干渉しない。
そのため、地震等でカーテンウォール１の隣接するカーテンウォールユニット２同士がロッキングした場合でも第一端部シール材１２の第一突起部１２ｂ及び第二突起部１２ｃが第一凹側縦壁１８及び第二凹側縦壁１９内で規則正しく同量にロッキングし、また、互いに干渉せず変形追従等することを防止して互いの損傷を防止できる。
【００４１】
また、第一端部シール材１２と第二端部シール材１３の互いの密着面１２ａａ、１３ａａの隙間から雨水等の水が屋外側から滲み込んだとしても第一及び第二突起部１２ｂ、１２ｃ間に設けた第二端部シール材１３の垂下部１３ｅにガイドされて下方に水滴として落下するため、屋内側に滲み出ることを防止できる。しかも、第一及び第二端部シール材１２、１３に水をガイドするためのスリット等を設ける必要がなく、厚みを例えば１/２程度に小型化できる。
また、第一端部シール材１２の第一突起部１２ｂ及び第二突起部１２ｃは部品段階でそれぞれ外側に傾斜して開いており、これを第一凸側縦壁１５、第二凸側縦壁１６の上部に装着する際にほぼ平行に矯正させて、第一突起部１２ｂ及び第二突起部１２ｃを第二端部シール材１３の下側に嵌合させることで、この部分の水密性を確実に確保できる。
【００４２】
なお、本発明によるカーテンウォール１は、上述した実施形態に限定されるものではなく、本発明の要旨を逸脱しない範囲で適宜の変更や置換等が可能である。以下に、本発明の変形例等について説明するが、上述した実施形態で説明した部品や部材等と同一または同様なものについては同一の符号を用いて説明を省略する。
【００４３】
例えば、上述した実施形態では、第二端部シール材１３に垂下部１３ｅを設けたが、これに代えて第一端部シール材１２における第一突起部１２ｂと第二突起部１２ｃの間に垂下部を設けて滲み込む水を下方に誘導してもよい。
【００４４】
なお、本発明において、第一凸側縦壁１５は第一フィン、第二凸側縦壁１６は第二フィンに含まれる。
上枠４及び下枠５、左右の縦枠６，７を備えた隣り合うカーテンウォールユニット２の上枠４の両端部に配設される対向する第一端部シール材１２及び第二端部シール材１３と、縦枠６，７から左右方向に延びる第一凸側縦壁１５及び第二凸側縦壁１６の上に配置される第一及び第二突起部１２ｂ、１２ｃはカーテンウォール１用のキャッチパンを構成する。
【符号の説明】
【００４５】
１  カーテンウォール
２，２Ａ，２Ｂ，２Ｃ，２Ｄ  カーテンウォールユニット
４  上枠
５  下枠
６、７  縦枠
１２  第一端部シール材
１２ａ、１３ａ  シール材本体
１２ａａ、１３ａａ  密着面
１２ｂ  第一突起部
１２ｃ  第二突起部
１３  第二端部シール材
１３ｂ  第一嵌合凹部
１３ｃ  第二嵌合凹部
１５  第一凸側縦壁
１６  第二凸側縦壁
１８  第一凹側縦壁
１９  第二凹側縦壁
Ｐ  交差部
【図１】
0006762771.tif 000002
【図２】
0006762771.tif 000003
【図３】
0006762771.tif 000004
【図４】
0006762771.tif 000005
【図５】
0006762771.tif 000006
【図６】
0006762771.tif 000007
【図７】
0006762771.tif 000008
【図８】
0006762771.tif 000009
【図９】
0006762771.tif 000010
【図１０】
0006762771.tif 000011